(57)【要約】【課題】  より高い確率で撮影対象の動物の興味を引くことができる撮像装置を提供する。【解決手段】  撮像装置は、撮像部と、周波数指定部と、音声出力部とを備える。撮像部は、被写体像を撮像して画像のデータを生成する。周波数指定部は、人間の可聴範囲外の高周波帯域から出力音の周波数の指定を行う。音声出力部は、指定された周波数の音波を装置外部に放射する。【選択図】  図１
2009015073.tif 000002
【特許請求の範囲】
【請求項１】
被写体像を撮像して画像のデータを生成する撮像部と、
人間の可聴範囲外の高周波帯域から出力音の周波数の指定を行う周波数指定部と、
前記指定された周波数の音波を装置外部に放射する音声出力部と、
を備えることを特徴とする撮像装置。
【請求項２】
請求項１に記載の撮像装置において、
前記画像のデータを不揮発性の記憶媒体に記録するデータ記録部をさらに備え、
前記音声出力部は、前記記憶媒体に記録される記録画像の撮像に先だって前記音波を放射することを特徴とする撮像装置。
【請求項３】
請求項１に記載の撮像装置において、
前記音声出力部に対して前記音波の出力タイミングを指示する第１入力部をさらに備えることを特徴とする撮像装置。
【請求項４】
請求項１に記載の撮像装置において、
前記指定された周波数を示した周波数情報を記憶する第１メモリをさらに備え、
前記音声出力部は、前記第１メモリから読み込んだ前記周波数情報に対応する周波数の音波を放射することを特徴とする撮像装置。
【請求項５】
請求項４に記載の撮像装置において、
前記周波数指定部は、前記撮像部が前記画像を撮像したときに適用された前記周波数から前記周波数情報を生成するとともに、前記第１メモリに前記周波数情報を登録することを特徴とする撮像装置。
【請求項６】
請求項４に記載の撮像装置において、
前記周波数指定部は、前記周波数情報を適用する被写体についての付帯情報を前記周波数情報に対応付けすることを特徴とする撮像装置。
【請求項７】
請求項１に記載の撮像装置において、
前記撮像部で撮像する動物の種別を入力する第２入力部をさらに備え、
前記周波数指定部は、前記動物の種別に応じて前記周波数の指定範囲の上限を変化させることを特徴とする撮像装置。
【請求項８】
請求項１に記載の撮像装置において、
前記周波数の指定を行うときに、撮像対象となる動物の可聴範囲と指定されている周波数の値とを示すモニタをさらに備えることを特徴とする撮像装置。
【請求項９】
請求項７または請求項８に記載の撮像装置において、
前記指定された周波数の値を手動で変更するための第３入力部をさらに備えることを特徴とする撮像装置。
【請求項１０】
請求項１に記載の撮像装置において、
各々の周波数が異なる複数の前記高周波帯域の音声データをそれぞれ記憶する第２メモリをさらに備え、
前記音声出力部は、複数の前記音声データのうちで前記指定された周波数に対応する前記音声データを再生することを特徴とする撮像装置。
【請求項１１】
請求項１に記載の撮像装置において、
前記指定された周波数でパルス信号を生成するパルス生成部をさらに備え、
前記音声出力部は、前記パルス信号に基づく発振によって前記音波を放射することを特徴とする撮像装置。
【発明の詳細な説明】
【技術分野】
【０００１】
本発明は、動物の撮影に適した撮像装置に関する。
【背景技術】
【０００２】
従来から、特許文献１に示すように、撮影時に被写体の動物の興味を引くために人間の可聴範囲（２０Ｈｚ〜２０ｋＨｚ）よりも大きな周波数の音声を出力するカメラが提案されている。
【特許文献１】特開２００２−１０７８０７号公報
【発明の開示】
【発明が解決しようとする課題】
【０００３】
しかし、従来のカメラでは、動物に対して出力する音声の周波数を自由に選択することができなかった。そのため、被写体の動物の個体差によって必ずしも動物の興味を引くことができず、効率的な動物の撮影を行えない可能性がある点で改善の余地があった。
【０００４】
本発明は上記従来技術の課題を解決するためのものである。本発明の目的は、より高い確率で撮影対象の動物の興味を引くことができる撮像装置を提供することである。
【課題を解決するための手段】
【０００５】
第１の発明に係る撮像装置は、撮像部と、周波数指定部と、音声出力部とを備える。撮像部は、被写体像を撮像して画像のデータを生成する。周波数指定部は、人間の可聴範囲外の高周波帯域から出力音の周波数の指定を行う。音声出力部は、指定された周波数の音波を装置外部に放射する。
【０００６】
第２の発明は、第１の発明において、画像のデータを不揮発性の記憶媒体に記録するデータ記録部を撮像装置がさらに備える。また、音声出力部は、記憶媒体に記録される記録画像の撮像に先だって音波を放射する。
【０００７】
第３の発明は、第１の発明において、音声出力部に対して音波の出力タイミングを指示する第１入力部を撮像装置がさらに備える。
【０００８】
第４の発明は、第１の発明において、指定された周波数を示した周波数情報を記憶する第１メモリを撮像装置がさらに備える。また、音声出力部は、第１メモリから読み込んだ周波数情報に対応する周波数の音波を放射する。
【０００９】
第５の発明は、第４の発明において、周波数指定部は、撮像部が画像を撮像したときに適用された周波数から周波数情報を生成するとともに、第１メモリに周波数情報を登録する。
【００１０】
第６の発明は、第４の発明において、周波数指定部は、周波数情報を適用する被写体についての付帯情報を周波数情報に対応付けする。
【００１１】
第７の発明は、第１の発明において、撮像部で撮像する動物の種別を入力する第２入力部を撮像装置がさらに備える。また、周波数指定部は、動物の種別に応じて周波数の指定範囲の上限を変化させる。
【００１２】
第８の発明は、第１の発明において、周波数の指定を行うときに、撮像対象となる動物の可聴範囲と指定されている周波数の値とを示すモニタを撮像装置がさらに備える。
【００１３】
第９の発明は、第７または第８の発明において、指定された周波数の値を手動で変更するための第３入力部を撮像装置がさらに備える。
【００１４】
第１０の発明は、第１の発明において、各々の周波数が異なる複数の高周波帯域の音声データをそれぞれ記憶する第２メモリを撮像装置がさらに備える。また、音声出力部は、複数の音声データのうちで指定された周波数に対応する音声データを再生する。
【００１５】
第１１の発明は、第１の発明において、指定された周波数でパルス信号を生成するパルス生成部を撮像装置がさらに備える。また、音声出力部は、パルス信号に基づく発振によって音波を放射する。
【発明の効果】
【００１６】
本発明によれば、人間の可聴範囲外の高周波帯域から指定された周波数の音波を装置外部に放射し、個々の動物に適した音波で撮影対象の動物の動物の興味をより確実に引くことができる。
【発明を実施するための最良の形態】
【００１７】
図１は、本実施形態の電子カメラの構成を示すブロック図である。電子カメラは、撮像光学系１１と、撮像素子１２と、ＡＦＥ１３と、画像処理部１４と、バッファメモリ１５と、記録Ｉ／Ｆ１６と、モニタ１７と、スピーカー１８と、パルス生成部１９と、レリーズ釦２０および操作部材２１と、ＣＰＵ２２と、登録メモリ２３と、バス２４とを有している。ここで、画像処理部１４、バッファメモリ１５、記録Ｉ／Ｆ１６、モニタ１７、ＣＰＵ２２および登録メモリ２３は、それぞれバス２４を介して接続されている。また、スピーカー１８、パルス生成部１９、レリーズ釦２０および操作部材２１は、それぞれＣＰＵ２２に接続されている。
【００１８】
撮像光学系１１は、ズームレンズやフォーカシングレンズを含む複数のレンズ群で構成されている。なお、簡単のため、図１では撮像光学系１１を１枚のレンズとして図示する。
【００１９】
撮像素子１２は、撮像光学系１１の像空間側に配置されている。撮像素子１２の受光面には受光素子が２次元配列されており、撮像光学系１１を通過した光束による被写体像を光電変換してアナログの画像信号を生成する。この撮像素子１２の出力はＡＦＥ１３に接続されている。
【００２０】
ここで、電子カメラの撮影モードにおいて、撮像素子１２はレリーズ釦２０の全押し操作に応答して記録画像（本画像）を撮像する。また、撮影モードでの撮像素子１２は、撮影待機時にも所定間隔毎にスルー画像を撮像する。このスルー画像のデータは、撮像素子１２から間引き読み出しで出力される。なお、スルー画像のデータは、モニタ１７での画像表示や、ＣＰＵ２２による各種の演算処理などに使用される。
【００２１】
ＡＦＥ１３は、撮像素子１２の出力に対してアナログ信号処理を施すアナログフロントエンド回路である。このＡＦＥ１３は、相関二重サンプリングや、画像信号のゲインの調整や、画像信号のＡ／Ｄ変換を行う。なお、ＡＦＥ１３の出力は画像処理部１４に接続されている。
【００２２】
画像処理部１４は、画像のデータに対して、各種の画像処理（色補間処理、階調変換処理、輪郭強調処理、ホワイトバランス調整、色補正など）を施すＡＳＩＣである。なお、画像処理部１４は、画像の解像度変換処理や本画像のデータの圧縮処理なども実行する。
【００２３】
バッファメモリ１５は、画像処理部１４による画像処理の前工程や後工程で画像のデータを一時的に記憶する。
【００２４】
記録Ｉ／Ｆ１６には、記憶媒体２５を接続するためのコネクタが形成されている。そして、記録Ｉ／Ｆ１６は、コネクタに接続された不揮発性の記憶媒体２５に対してデータの書き込み／読み込みを実行する。上記の記憶媒体２５は、ハードディスクや、半導体メモリを内蔵したメモリカードなどで構成される。なお、図１では記憶媒体２５の一例としてメモリカードを図示する。
【００２５】
モニタ１７は、ＣＰＵ２２の指示に応じて各種画像を表示する。なお、本実施形態でのモニタ１７の構成は、接眼部を有する電子ファインダや、カメラ筐体の背面などに設けられる液晶表示パネルのいずれでもよい。
【００２６】
ここで、撮影モードでの撮影待機時において、モニタ１７にはＣＰＵ２２の制御によりスルー画像が動画表示される。このとき、ＣＰＵ２２は、撮影に必要となる各種情報をモニタ１７のスルー画像上にオーバーレイ表示させることもできる。また、ＣＰＵ２２は、各種の設定項目の入力が可能なメニュー画面をモニタ１７に表示させることもできる。
【００２７】
スピーカー１８は、撮影モードの１つである動物撮影モードにおいて、撮影時に動物の興味を引くための音声を出力する。なお、スピーカー１８は、動物の興味を引くための音声として、人間の可聴範囲外の高周波帯域を含む任意の周波数の音波を装置外部に放射できる。
【００２８】
パルス生成部１９は、ＣＰＵ２２によって指示された周波数のパルス信号を生成する。一例として、パルス生成部１９は、２０ｋＨｚ〜１００ｋＨｚのパルス信号を生成できる公知のＰＬＬ発振器で構成される。
【００２９】
レリーズ釦２０は、半押し操作による撮影前のオートフォーカス（ＡＦ）動作開始の指示入力と、全押し操作による撮像動作開始の指示入力とをユーザーから受け付ける。
【００３０】
操作部材２１は、例えば、コマンドダイヤル、十字状のカーソルキー、決定釦などで構成される。そして、操作部材２１は電子カメラの各種入力をユーザーから受け付ける。例えば、操作部材２１は、上記のメニュー画面などでの入力操作や、電子カメラのモード選択操作などに用いられる。なお、上記の動物撮影モードにおいて、操作部材２１は、動物の種別の選択入力や、出力する音声の周波数の指定入力などをユーザーから受け付ける。
【００３１】
ＣＰＵ２２は、電子カメラの各部を統括的に制御するプロセッサである。例えば、ＣＰＵ２２は、スルー画像のデータに基づいて、コントラスト検出方式による公知のＡＦ制御や、自動露出（ＡＥ）演算などを実行する。
【００３２】
また、ＣＰＵ２２は、ユーザーの操作に応じてスピーカー１８から出力する音波の周波数を指定する。なお、動物撮影モードでのＣＰＵ２２は、人間の可聴範囲外の高周波帯域のうちから、出力音の周波数を決定する。さらに、ＣＰＵ２２は、モニタ１７に表示される各種画面での表示処理および入力処理なども実行する。
【００３３】
登録メモリ２３はフラッシュメモリ等の不揮発性の記憶媒体で構成される。この登録メモリ２３には、例えば、動物撮影モードで再生される複数の音声データ群や、ユーザーが登録した音声設定情報が記憶されている。
【００３４】
ここで、登録メモリ２３の音声データは、いずれも可聴範囲外の高周波帯域の音声が記録されている。また、上記の音声設定情報には、ユーザーが登録した周波数の値と、その周波数の音に反応する動物を示す付帯情報（例えば、動物の名称、動物のサムネイル画像など）がそれぞれ対応付けされている。
【００３５】
次に、図２、図３の流れ図を参照しつつ、本実施形態における電子カメラの動物撮影モードでの動作例を説明する。
【００３６】
ステップＳ１０１：ＣＰＵ２２は、ユーザーによるモード変更操作に応じて、動物撮影モードの設定画面（不図示）を立ち上げる。
【００３７】
この設定画面では、動物撮影モードでの設定をユーザーがＣＰＵ２２に指示できる。具体的には、ユーザーは、（１）音声出力のオフ、（２）被写体の動物種別の選択、（３）ユーザー設定の読み出し、のいずれかの項目を選択してＣＰＵ２２に入力できる。なお、登録メモリ２３に音声設定情報がない場合には、ＣＰＵ２２は上記（３）の「ユーザー設定の読み出し」の項目を選択できない状態とする。その後、ＣＰＵ２２はいずれかの項目の選択入力を受け付けるとＳ１０２に移行する。
【００３８】
ステップＳ１０２：ＣＰＵ２２は、ユーザーが設定画面（Ｓ１０１）でいずれの項目を選択したかを判定する。
【００３９】
「音声出力のオフ」の項目が選択された場合（ＣＡＳＥ１）にはＣＰＵ２２はＳ１０３に移行する。「被写体の動物種別の選択」の項目が選択された場合（ＣＡＳＥ２）にはＣＰＵ２２はＳ１０４に移行する。「ユーザー設定の読み出し」の項目が選択された場合（ＣＡＳＥ３）にはＣＰＵ２２はＳ１０７に移行する。
【００４０】
ステップＳ１０３：この場合、ＣＰＵ２２は、スピーカー１８の音声出力をオフにするとともに、動物撮影モードに合わせて露出条件の設定を最適化する。一例として、ＣＰＵ２２は、ＡＥ演算時に絞り（不図示）を開放側にして撮像素子１２の電荷蓄積時間を短くし、動物の素早い動きに対応しやすくする。
【００４１】
その後、ＣＰＵ２２は、レリーズ釦２０の全押し操作に応じて本画像の撮影などを実行する。なお、Ｓ１０３ではスピーカー１８から音声が出力されないので、例えば野生動物などを撮影する場合において、ユーザーは被写体の動物を驚かすことなく撮影を行うことができる。
【００４２】
ステップＳ１０４：ＣＰＵ２２は、被写体の動物の種別を入力するための動物選択画面をモニタ１７に表示する。そして、ＣＰＵ２２は、操作部材２１を介して被写体の動物の種別の入力をユーザーから受け付ける。その後、ＣＰＵ２２はいずれかの動物の種別の入力を受け付けるとＳ１０５に移行する。
【００４３】
図４は、Ｓ１０４での動物選択画面の一例を示す図である。この動物選択画面では、動物の種別の入力を促すメッセージと、被写体となる動物の種別（犬、猫、馬、鳥）の項目とが表示される。また、各々の動物の種別の項目には、その動物の可聴範囲の上限にあたる周波数の表示が対応付けされている。
【００４４】
ステップＳ１０５：ＣＰＵ２２は、動物選択画面（Ｓ１０４）で選択された動物の可聴範囲の周波数に基づいて、周波数の上限値を設定する。
【００４５】
具体的には、動物の種別で犬が選択された場合には、ＣＰＵ２２は犬の可聴範囲の上限である５０ｋＨｚを指定できる周波数の上限値とする。また、動物の種別で猫が選択された場合には、ＣＰＵ２２は猫の可聴範囲の上限である６５ｋＨｚを指定できる周波数の上限値とする。また、動物の種別で馬が選択された場合には、ＣＰＵ２２は馬の可聴範囲の上限である３０ｋＨｚを指定できる周波数の上限値とする。また、動物の種別で鳥が選択された場合には、ＣＰＵ２２は２０ｋＨｚを指定できる周波数の上限値とする。これにより、ユーザーは、撮影対象の動物の可聴範囲内で常に周波数を調整できるようになる。
【００４６】
ステップＳ１０６：ＣＰＵ２２は、スピーカー１８から出力する音声の周波数をデフォルト値に変更する。ここで、上記のデフォルト値は各々の動物の種類ごとに異なる値に設定できる。そして、ＣＰＵ２２は、複数のデフォルト値がある場合には、動物選択画面（Ｓ１０４）で選択された動物の種類に応じて出力音の周波数を設定する。
【００４７】
そして、ＣＰＵ２２は、周波数の変更操作の有無を示すフラグＦＬを「０」値の状態に初期化する。その後、ＣＰＵ２２はＳ１０９に処理を移行する。
【００４８】
ステップＳ１０７：ＣＰＵ２２は、音声設定情報の選択を行うための音声設定選択画面をモニタ１７に表示する。そして、ＣＰＵ２２は、操作部材２１を介して音声設定情報の選択入力をユーザーから受け付ける。その後、ＣＰＵ２２はいずれかの音声設定情報の選択入力を受け付けるとＳ１０８に移行する。
【００４９】
図５は、Ｓ１０７での音声設定選択画面の一例を示す図である。この音声設定選択画面では、登録メモリ２３に記憶された音声設定情報が一覧表示される。各々の音声設定情報の項目には、登録されている周波数の値の表示と、それぞれ対応する付帯情報（動物の名称、動物の種別、動物のサムネイル画像）とが表示されている。
【００５０】
ステップＳ１０８：ＣＰＵ２２は、スピーカー１８から出力する音声の周波数を、Ｓ１０７で選択された音声設定情報の示す周波数に変更する。そして、ＣＰＵ２２は、周波数の変更操作の有無を示すフラグＦＬを「０」値の状態に初期化する。なお、音声設定情報に動物の種別に関する情報が含まれている場合、ＣＰＵ２２は、指定できる周波数の上限をＳ１０５の場合と同様に制限する。
【００５１】
ステップＳ１０９：ＣＰＵ２２は、動物撮影モードに合わせて露出条件の設定を最適化する。
【００５２】
ステップＳ１１０：ＣＰＵ２２は、撮像素子１２を駆動させてスルー画像の撮像を開始する。その後、スルー画像は所定間隔ごとに逐次生成されることとなる。また、ＣＰＵ２２は、スルー画像をモニタ１７に動画表示する。したがって、ユーザーはモニタ１７のスルー画像によって撮影構図を決定するためのフレーミングを行うことができる。
【００５３】
また、ＣＰＵ２２は、動物撮影モードにおいて、音声に関する表示をモニタ１７のスルー画像上にオーバレイ表示させる。図６に、動物撮影モードのときのスルー画像の表示例を示す。なお、図６の例では、動物の種別として犬が選択されている状態を前提とする。
【００５４】
図６の例では、音声に関する表示はスルー画像の左上にまとめて表示される。この音声に関する表示には、（１）動物の種別（ＤＯＧ）と、（２）出力できる周波数の選択範囲と、（３）現在の周波数の指定値と、が含まれる。図６の例では、上記の周波数の指定値は、周波数の選択範囲との相対関係が分かるようにグラフ形式で表示される。これらの表示によって、動物の可聴範囲や周波数の指定値などの設定状態をユーザーが容易に把握できる。
【００５５】
なお、上記（２）の周波数の選択範囲は、人間の可聴範囲外の高周波帯域であって、撮像対象の動物の種別（Ｓ１０４）に応じて上限値が変動する。図６の例では、選択可能範囲の上限は犬の可聴範囲の上限である５０ｋＨｚであり、選択可能範囲の下限は人間の可聴範囲の上限である２０ｋＨｚとなっている。
【００５６】
ステップＳ１１１：ＣＰＵ２２は、レリーズ釦２０が半押しされたか否かを判定する。レリーズ釦２０が半押しされた場合（ＹＥＳ側）には、ＣＰＵ２２はＳ１１４に移行する。一方、レリーズ釦２０が半押しされていない場合（ＮＯ側）には、ＣＰＵ２２はＳ１１２に移行する。
【００５７】
ステップＳ１１２：ＣＰＵ２２は、操作部材２１の操作による周波数の変更操作を受け付けたか否かを判定する。周波数の変更操作があった場合（ＹＥＳ側）には、ＣＰＵ２２はＳ１１３に移行する。一方、周波数の変更操作がない場合（ＮＯ側）には、ＣＰＵ２２はＳ１１１に戻って上記動作を繰り返す。
【００５８】
ステップＳ１１３：ＣＰＵ２２は、ユーザーの操作に応じて、上記の選択可能範囲内で周波数の指定値を変更する。
【００５９】
そして、ＣＰＵ２２はスルー画像にオーバーレイされている周波数の指定値の表示を変更するとともに、フラグＦＬを「１」値の状態に変更する。その後、ＣＰＵ２２はＳ１１１に戻って上記動作を繰り返す。
【００６０】
ステップＳ１１４：ＣＰＵ２２は、レリーズ釦２０の半押しに応じて、指定値に対応する周波数で音波の出力を開始する。これにより、被写体となる動物の注意を音源の電子カメラに向けて、動物を好ましい状態で撮影できる可能性を向上させることができる。
【００６１】
ここで、ＣＰＵ２２は、以下のいずれかの手段で所望の周波数の音波をスピーカー１８から放射する。第１の手段として、ＣＰＵ２２は、指定値の周波数のパルス信号をパルス生成部１９に生成させるとともに、このパルス信号に基づいてスピーカー１８を発振させて所望の周波数で音波を放射する。あるいは、第２の手段として、ＣＰＵ２２は、登録メモリ２３に記憶された音声データ群のうちで、指定値の周波数に対応する音声データを再生することで、所望の周波数の音波を放射する。もっとも、登録メモリ２３の記録容量を少なくする観点からは、パルス生成部１９のパルス信号に基づいて所望の周波数の音波を生成することがより好ましい。
【００６２】
なお、動物撮影モードにおけるスピーカー１８の出力音は、人間の可聴範囲外の周波数であるため人間の聴覚では直接知覚することができない。そのため、ＣＰＵ２２は、現在の音声出力の有無を示す表示をモニタ１７で行うようにしてもよい（図６のスルー画像では、音声出力の有無の表示の図示は省略する）。
【００６３】
ステップＳ１１５：ＣＰＵ２２は、スルー画像のデータに基づいてＡＦおよびＡＥを実行する。
【００６４】
ステップＳ１１６：ＣＰＵ２２は、レリーズ釦２０が全押しされたか否かを判定する。レリーズ釦２０が全押しされた場合（ＹＥＳ側）には、ＣＰＵ２２はＳ１２１に移行する。一方、レリーズ釦２０が全押しされていない場合（ＮＯ側）には、ＣＰＵ２２はＳ１１７に移行する。
【００６５】
ステップＳ１１７：ＣＰＵ２２は、レリーズ釦２０の半押しが解除されたか否かを判定する。レリーズ釦２０の半押しが解除された場合（ＹＥＳ側）には、ＣＰＵ２２はＳ１１８に移行する。一方、レリーズ釦２０が半押しが継続している場合（ＮＯ側）には、ＣＰＵ２２はＳ１１９に移行する。
【００６６】
ステップＳ１１８：ＣＰＵ２２は、スピーカー１８からの音声出力を停止する。その後、ＣＰＵ２２はＳ１１１に戻って上記動作を繰り返す。
【００６７】
ステップＳ１１９：ＣＰＵ２２は、出力音の周波数の変更操作を受け付けたか否かを判定する。出力音の周波数の変更操作があった場合（ＹＥＳ側）には、ＣＰＵ２２はＳ１２０に移行する。一方、出力音の周波数の変更操作がない場合（ＮＯ側）には、ＣＰＵ２２はＳ１１６に戻って上記動作を繰り返す。
【００６８】
ステップＳ１２０：ＣＰＵ２２は、ユーザーの操作に応じて出力音の周波数の指定を変更する。そして、ＣＰＵ２２はスルー画像にオーバーレイされている周波数の指定値の表示を変更するとともに、フラグＦＬを「１」値の状態に変更する。その後、ＣＰＵ２２はＳ１１６に戻って上記動作を繰り返す。なお、このＳ１２０は、スピーカー１８から音声を出力しつつ、動物の反応を確認しながら出力音の周波数を調整する場合に相当する。
【００６９】
ステップＳ１２１：ＣＰＵ２２は、撮像素子１２を駆動させて本画像の撮像を行う。そして、画像処理部１４は、撮像素子１２の出力に所定の画像処理を施して本画像のデータを生成する。
【００７０】
ステップＳ１２２：ＣＰＵ２２は、本画像の撮像完了とともに、スピーカー１８からの音声出力を停止する。
【００７１】
ステップＳ１２３：ＣＰＵ２２は、フラグＦＬが「１」値の状態か否かを判定する。ＦＬが「１」値の状態（ＹＥＳ側）には、ＣＰＵ２２はＳ１２４に移行する。一方、ＦＬが「０」値の状態（ＮＯ側）には、ＣＰＵ２２はＳ１２７に移行する。
【００７２】
ステップＳ１２４：ＣＰＵ２２は、ユーザーに対して音声設定情報の生成を確認する表示（不図示）をモニタ１７に所定時間表示する。
【００７３】
具体的には、ＣＰＵ２２は、「本画像の撮影時に適用した周波数の情報を登録しますか」などのメッセージをモニタ１７に表示する。その後、ＣＰＵ２２は、例えば、操作部材２１の決定釦の押圧に応じて、撮影時に適用した周波数を示す音声設定情報を生成する。
【００７４】
なお、Ｓ１２４でのメッセージ表示は、ＣＰＵ２２の制御によって、本画像の撮像直後に表示される本画像の縮小確認画像（フリーズ画像などと称される）に重畳してモニタ１７に表示される。
【００７５】
ステップＳ１２５：ＣＰＵ２２は、所定時間内に操作部材２１の決定釦の押圧を受け付けたか（周波数の情報を登録する旨の操作があったか）否かを判定する。上記要件を満たす場合（ＹＥＳ側）には、ＣＰＵ２２はＳ１２６に移行する。一方、上記要件を満たさない場合（ＮＯ側）には、ＣＰＵ２２はＳ１２７に移行する。なお、Ｓ１２５でＮＯ側となる場合には、上記の登録をキャンセルする操作があった場合や、所定時間以内にユーザーの入力がなかった場合が該当する。
【００７６】
ステップＳ１２６：ＣＰＵ２２は、本画像の撮影時に適用した周波数の指定値を音声設定情報として登録メモリ２３に記録する。また、ＣＰＵ２２は、今回撮像された本画像のサムネイル画像を上記の音声設定情報に対応付けて登録メモリ２３に記録する。
【００７７】
これにより、被写体の動物の興味を引くことができた周波数を示す音声設定情報を容易に登録することができる。また、上記の音声設定情報には、本画像に対応するサムネイル画像が付帯情報として記録されるので、ユーザーにとって音声設定情報の識別がより容易となる。なお、Ｓ１２６で生成された音声設定情報に関しては、撮影後にユーザーがメニュー画面などで編集を行うことで、ペットの名称などを付帯情報としてさらに登録することも可能である。
【００７８】
ステップＳ１２７：ＣＰＵ２２は、記録Ｉ／Ｆ１６を介して本画像のデータ（Ｓ１２１）を記憶媒体２５に記録する。以上で図２、図３の動作説明を終了する。
【００７９】
以下、本実施形態の作用効果を述べる。本実施形態の電子カメラでは、本画像の撮影に先立って、人間の可聴範囲外の高周波帯域から指定された所望の周波数の音波をスピーカー１８から放射する。これにより、動物の興味を音源の電子カメラに向けることで、被写体の動物を好ましい状態で撮影できる。特に、本実施形態では、ユーザーの操作に応じて出力音の周波数を容易に調整できるので、個々の動物に適した音波で動物の興味をより確実に引くことができる。なお、スピーカー１８から出力される音声は人間の可聴範囲外のものであるため、動物撮影モードでの撮影時に周囲の人間が騒音を感じることもない。
【００８０】
また、本実施形態の電子カメラでは、本画像の撮影時に適用した周波数に基づいて音声設定情報を生成し、この音声設定情報を次回撮影時に使用することができる。これにより、同じ動物を撮影するときに、前回の撮影で効果のあった周波数の音声を使用できるので、動物を好ましい状態で撮影できる可能性がより向上する。
【００８１】
（実施形態の補足事項）
（１）上記実施形態ではいわゆるコンパクトタイプの電子カメラでの構成例を説明したが、本発明の構成は動画撮影機能を有する電子カメラや、カメラ付携帯電話などにも適用できる。また、本発明は、銀塩フイルムで被写体を撮影する銀塩カメラにも適用することができる。
【００８２】
（２）上記実施形態において、音声の出力タイミングはレリーズ釦２０の半押しで指示される場合に限定されるものではない。例えば、ＣＰＵ２２は、動物選択画面や音声設定選択画面の終了直後から音声を出力してもよい。また、上記実施形態において操作部材２１に音声出力用のボタンを設け、ＣＰＵ２２は音声出力用のボタンの押圧されたタイミングに応じてスピーカー１８から音声を出力するようにしてもよい。
【００８３】
（３）上記実施形態において、電子カメラの他の回路で使用される発振器（例えば時計用の３２．７６８ｋＨｚの発振器）を適宜流用し、複数の発振器でパルス生成部１９を構成してもよい。
【００８４】
なお、本発明は、その精神またはその主要な特徴から逸脱することなく他の様々な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【図面の簡単な説明】
【００８５】
【図１】本実施形態の電子カメラの構成を示すブロック図
【図２】本実施形態における電子カメラの動物撮影モードでの動作例を説明する流れ図
【図３】図２の続きの流れ図
【図４】Ｓ１０４での動物選択画面の一例を示す図
【図５】Ｓ１０７での音声設定選択画面の一例を示す図
【図６】動物撮影モードのときのスルー画像の表示例を示す図
【符号の説明】
【００８６】
１２…撮像素子、１６…記録Ｉ／Ｆ、１７…モニタ、１８…スピーカー、１９…パルス生成部、２０…レリーズ釦、２１…操作部材、２２…ＣＰＵ、２３…登録メモリ、２５…記憶媒体
【図１】
2009015073.tif 000003
【図２】
2009015073.tif 000004
【図３】
2009015073.tif 000005
【図４】
2009015073.tif 000006
【図５】
2009015073.tif 000007
【図６】
2009015073.tif 000008